【手続補正書】
【提出日】令和2年11月13日(2020.11.13)
【手続補正１】
【補正対象書類名】特許請求の範囲
【補正対象項目名】全文
【補正方法】変更
【補正の内容】
【特許請求の範囲】
【請求項１】
２次元にわたって光を差し向けるための光学システムであって、前記光は波長帯域にグループ化される複数の波長チャネルのうちの選択された１つを含み、前記システムは、
前記光を、前記複数の波長チャネルのうちの前記選択された１つに基づく初期次元にわたる第１の方向のうちの１つに向けて差し向けるように配置された分散素子と、
前記差し向けられた光を受け取るように前記初期次元に沿って配置されたステアリング素子のアレイと、
を含み、
前記ステアリング素子のアレイは、前記受け取った光を、前記それぞれのステアリング素子の前記初期次元に沿った位置に基づく第２の方向のうちの１つに向けてさらに差し向けるように構成されたステアリング素子を備え、前記第２の方向は、それぞれの波長帯域に基づくそれぞれの平面に沿って整列され、前記平面は、前記初期次元に関連付けられる第１の次元にわたって分布され、各々の平面は前記第１の次元に実質的に垂直な第２の次元を横切って延びる、
光学システム。
【請求項２】
前記ステアリング素子のアレイは、各々、前記受け取った光を前記第２の次元を横切って回折する可変線間隔回折格子を含む、請求項１に記載の光学システム。
【請求項３】
前記可変線間隔回折格子は、前記可変線間隔回折格子上の前記初期次元に沿った位置群に基づく複数の格子周期を含む、請求項２に記載の光学システム。
【請求項４】
前記複数の格子周期は、前記初期次元に沿って連続的に変化する、請求項３に記載の光学システム。
【請求項５】
前記複数の格子周期は、前記初期次元に沿って不連続に変化する、請求項３に記載の光学システム。
【請求項６】
前記複数の格子周期の変化は、前記ステアリング素子のアレイを横切って実質的に繰り返す、請求項３〜５のいずれか一項に記載の光学システム。
【請求項７】
前記第２の方向は、前記可変線間隔回折格子上の前記初期次元に沿った前記位置群に対応する、請求項３〜６のいずれか一項に記載の光学システム。
【請求項８】
前記ステアリング素子のアレイは、各々、前記受け取った光を前記第２の次元を横切って反射するための反射素子を含む、請求項１に記載の光学システム。
【請求項９】
前記反射素子は、法線ベクトルが前記初期次元に沿った位置群に基づいて変化する反射表面を含む、請求項８に記載の光学システム。
【請求項１０】
前記法線ベクトルは、前記初期次元に沿った位置群と共に連続的に変化する、請求項９に記載の光学システム。
【請求項１１】
前記法線ベクトルは、前記初期次元に沿った位置群と共に不連続に変化する、請求項９に記載の光学システム。
【請求項１２】
前記差し向けられた光を前記初期次元内に閉じ込めるための収束素子をさらに含む、請求項３〜１１のいずれか一項に記載の光学システム。
【請求項１３】
前記収束素子は円筒型レンズである、請求項１２に記載の光学システム。
【請求項１４】
前記収束素子によって収束された光をコリメートするためのコリメート素子をさらに含む、請求項１２又は１３に記載の光学システム。
【請求項１５】
前記分散素子は、前記光を前記初期次元にわたって差し向けるための、１つ又はそれ以上の回折格子及び１つ又はそれ以上のプリズムの任意の組み合わせを含む、請求項１に記載の光学システム。
【請求項１６】
２次元にわたって光を差し向ける方法であって、前記光は波長帯域にグループ化される複数の波長チャネルのうちの選択された１つを含み、前記方法は、
前記光を、分散素子を用いて、前記複数の波長チャネルのうちの前記選択された１つに基づく初期次元に沿って配置されたステアリング素子のアレイにおいて、前記初期次元にわたる第１の方向のうちの１つに向けて、差し向けるステップと、
前記差し向けられた光を、前記ステアリング素子のアレイ内の素子を用いて、前記初期次元に沿ったそれぞれの素子内の位置に基づく第２の方向のうちの１つに向けて、さらに差し向けるステップと、
を含み、
前記第２の方向は、それぞれの波長帯域に基づくそれぞれの平面に沿って整列され、前記平面は前記初期次元に関連付けられる第１の次元にわたって分布され、各々の平面は、前記第１の次元に実質的に垂直な第２の次元を横切って延びる、
方法。
【請求項１７】
光を２次元にわたって差し向けるための光学システムであって、
複数の波長のうちの少なくとも１つを含む光を受け取り、前記複数の波長を空間的に分散させるように配置された少なくとも１つの分散素子と、
前記複数の波長の全てよりは少ない、前記複数の波長のうちの第１の複数を、前記分散素子から受け取り、前記複数の波長のうちの前記第１の複数を、第１の投射を横切って機械的移動なしに空間的に差し向けるように配置された第１のステアリング素子と、
前記複数の波長の全てよりは少なく、前記複数の波長のうちの前記第１の複数とは異なる、前記複数の波長のうちの第２の複数を、前記分散素子から受け取り、前記複数の波長のうちの第２の複数を、第２の投射を横切って機械的移動なしに空間的に差し向けるように配置された第２のステアリング素子と、
を含み、
前記第１の投射及び前記第２の投射は、結合して２次元にわたって広がる、
光学システム。
【請求項１８】
前記第１の投射及び前記第２の投射は、第１の次元にわたって分布され、前記第１の次元に対して直角の第２の次元を横切って広がる、請求項１７に記載の光学システム。
【請求項１９】
前記第１の投射及び前記第２の投射は、実質的に線形且つ実質的に平行である、請求項１８に記載の光学システム。
【請求項２０】
前記第１及び第２のステアリング素子は、第１の次元に沿って置かれた分散素子であり、前記第１及び第２の投射は、前記第１の次元に対して実質的に直角である、請求項１７〜１９のいずれか一項に記載の光学システム。
【請求項２１】
前記第１及び第２のステアリング素子は、第１の次元に沿って置かれた反射素子であり、前記第１及び第２の投射は、前記第１の次元に実質的に平行であり、前記第１の次元に対して直角な第２の次元において、互いにオフセットされる、請求項１７〜１９のいずれか一項に記載の光学システム。
【請求項２２】
前記第１及び第２のステアリング素子は、第１の次元に沿って置かれた反射素子であり、前記第１及び第２の投射は、前記第２の次元に実質的に平行であり、前記第２の次元に直角な第１の次元において、互いにオフセットされる、請求項１７〜１９のいずれか一項に記載の光学システム。
【請求項２３】
前記分散素子によって受け取られる前記光を生成するように配置された光源を含み、前記光源は、第１の期間中に、前記複数の波長のうちの前記第１の複数を生成し、前記複数の波長のうちの前記第２の複数を生成せず、前記第１の期間とは異なる第２の期間中に、前記複数の波長のうちの前記第２の複数を生成し、前記複数の波長のうちの前記第１の複数を生成しない、請求項１７〜２２のいずれか一項に記載の光学システム。
【請求項２４】
２次元にわたって光を差し向ける方法であって、
第１のステアリング素子において、前記第１のステアリング素子を横切って分布する第１の波長範囲を含む第１の光信号を受け取るステップ、及び、前記第１のステアリング素子により、第１の投射を横切って前記第１の光信号を空間的に差し向けるステップと、
第２のステアリング素子において、前記第２のステアリング素子を横切って分布する第２の波長範囲を含み、前記第２の波長範囲は前記第１の波長範囲とは異なる、第２の光信号を受け取るステップ、及び、前記第２のステアリング素子により、第２の投射を横切って前記第２の光信号を空間的に差し向けるステップと、
を含み、
前記第１の投射及び前記第２の投射は、結合して２次元にわたって広がり、
前記第１のステアリング素子及び前記第２のステアリング素子は発散鏡又は分散素子を備える、
方法。
【請求項２５】
光源光を、分散素子を通過させることによって前記第１の光信号及び前記第２の光信号を生成するステップをさらに含み、前記分散素子は前記光源光を前記第１の光信号及び前記第２の光信号に分散させるように配置される、請求項２４に記載の方法。
【請求項２６】
前記第１の波長範囲及び前記第２の波長範囲を通して走査するように前記光源光を調整するステップを含み、それにより、前記第１及び第２の光信号が、それぞれ、前記第１及び第２の投射を横切ってステアリングされる、請求項２５に記載の方法。